(57)【要約】【課題】高精度を要求されず、製作容易な、デュアルモードサンダーを提供すること。【解決手段】本体３に内装されたモーター１と、モーター１の出力軸４に偏芯して取り付けられたベアリング８を含むベアリングケース９と、ベアリングケース９の外周に嵌装された可撓性リング１１と、可撓性リング１１に接触離脱可能なように本体３に装着された固体リング１２と、ベアリングケース９の下端に固着されたパッド１５とを備えている。【選択図】図１
2005022000.tif 000002
【特許請求の範囲】
【請求項１】
本体に内装されたモーターと、該モーターの出力軸に偏芯して取り付けられたベアリングを含むベアリングケースと、該ベアリングケースの外周に固定的に嵌装された可撓性リングまたは固体リングと、該可撓性リングまたは固体リングに接触離脱可能なように前記本体に移動可能に装着された固体リングまたは可撓性リングと、前記ベアリングケースの下端に固着されたパッドとを備えたデュアルモードサンダー。
【請求項２】
本体に内装されたモーターと、該モーターの出力軸に偏芯して取り付けられたベアリングを含むベアリングケースと、前記本体に固定的に装着された固体リングまたは可撓性リングと、該固体リングまたは可撓性リングに接触離脱可能なように前記ベアリングケースの外周に移動可能に嵌装された可撓性リングまたは固体リングと、前記ベアリングケースの下端に固着されたパッドとを備えたデュアルモードサンダー。
【請求項３】
前記可撓性リングはゴムリングである請求項１または２に記載のデュアルモードサンダー。
【請求項４】
前記固体リングは金属または合成樹脂リングである請求項１または２に記載のデュアルモードサンダー。
【発明の詳細な説明】
【０００１】
【発明の属する技術分野】
本発明は、塗装面等を研削したり研磨したりするのに用いられるデュアルモードサンダーに関する。
【０００２】
【従来の技術】
現在、自動車等の事故等による板金の破損部分の修理には、先ず破損した部分を研削し、次に研削したその部分にパテと称する樹脂を盛り上げ、サンダーで成形後塗装し、その艶出し及び周辺部分と塗装した部分の色のボカシをするためポリッシャーを使用するのが普通である。
従来、このような板金作業を能率良く行うことを可能にするため、一台でダブルアクションサンダーとギヤアクションポリッシャーの両方の機能を具備したデュアルモードサンダーと呼ばれるものが市販されている。
【０００３】
【発明が解決しようとする課題】
ところで、従来公知のこの種デュアルモードサンダーは、研磨用パッドに、きれいな研磨面を得ることを可能にするダブルアクションとは別にギヤアクションを与えるのに、駆動モーターによりパッドと共に偏心回転運動可能の外歯車を、サンダー本体に固定した内歯車に噛み合わせることにより行うようになっているため、設計や製作精度に高度なものが要求されて生産性が低いばかりか、作動時騒音を発するという問題点があった。
【０００４】
本発明は、従来装置の有するこのような問題点に鑑みてなされたものであり、その目的とするところは、高精度を要求されず、製作容易な、上記形式のデュアルモードサンダーを提供することにある。
【０００５】
【課題を解決するための手段】
上記目的を達成するため、本発明によるデュアルモードサンダーは、本体に内装されたモーターと、該モーターの出力軸に偏芯して取り付けられたベアリングを含むベアリングケースと、該ベアリングケースの外周に固定的に嵌装された可撓性リングまたは固体リングと、該可撓性リングまたは固体リングに接触離脱可能なように前記本体に移動可能に装着された固体リングまたは可撓性リングと、前記ベアリングケースの下端に固着されたパッドとを備えている。
【０００６】
また、本発明によるデュアルモードサンダーは、本体に内装されたモーターと、該モーターの出力軸に偏芯して取り付けられたベアリングを含むベアリングケースと、前記本体に固定的に装着された固体リングまたは可撓性リングと、該固体リングまたは可撓性リングに接触離脱可能なように前記ベアリングケースの外周に移動可能に嵌装された可撓性リングまたは固体リングと、前記ベアリングケースの下端に固着されたパッドとを備えている。
【０００７】
本発明によれば、前記可撓性リングはゴムリングであり、また、前記固体リングは金属または合成樹脂リングである。
【０００８】
【発明の実施の形態】
以下、本発明の実施の形態を図示した実施例に基づき説明する。図１及び２は本発明にかかるデュアルモードサンダーの要部縦断面図で、図１はダブルアクションモードにセットした場合を、図２は擬似的ギヤアクションモードにセットした場合をそれぞれ示している。
【０００９】
図中、１は空気式或いは電気式の駆動モーター、２はサンダー本体３と共に駆動モーター１を収容固定するモーター固定ナット、４はモーター１の出力軸、５はモーター１の出力軸４に固着された偏芯軸、６は取り付けネジ７により偏芯軸５に取り付けられたバランサー、８は内輪が偏芯軸５の偏芯部に嵌着されたベアリング、９はベアリング８の外輪に嵌着されたベアリングケース、１０はベアリングケース９を偏芯軸５に固定するための止めネジ、１１はベアリングケース９の外周に嵌着固定された好ましくはゴム等からなる可撓性リング、１２はサンダー本体３の下部被覆筒の内周面上に可撓性リング１１の外周面と接触し得るように配置された金属や硬質の合成樹脂等からなる固体リング、１３はサンダー本体３の下部被覆筒の外周面上に摺動可能に嵌装された操作リング、１４はサンダー本体３の下部被覆筒の直径方向対向位置に形成された少なくとも一対のスロット３ａに移動可能に挿通されていて固体リング１２と操作リング１３を結合するための連結ネジ、１５はベアリングケース９の下部に固定されたパッドである。
【００１０】
なお、固体リング１２は、操作リング１３の操作により、可撓性リング１１の外周面に接触しない第１位置（図１）と、接触し得る第２位置（図２）とに移動することができ、その第１位置と第２位置は、図示しない周知のクリック機構その他の係止機構により、妄りに動くことなく保持される得るように構成されている。
【００１１】
本発明によるデュアルモードサンダーは、上記のように構成されているから、固体リング１２が図１の第１位置にあるときモーター１を駆動させれば、パッド１５は、モーター出力軸４の回転を公転とし、ベアリング８を介して惰力及び研削面の抵抗により自転する。この運動はダブルアクションと称されているが、その作用により、パッド１５に取り付けられた研磨材の砥粒が研削面をラップするため、きれいな研削面を得ることができる。
【００１２】
次に、固体リング１２が図２の第２位置にあるときモーター１を駆動させれば、上記ダブルアクション時のパッド１５の自転作用は、固体リング１２の内周面に可撓性リング１１が接触しているため、その摩擦作用により可撓性リング１１が固体リング１２の内周面上を転がりながら強制回転する運動に変換される。この場合、ベアリングケース９及びパッド１５は、可撓性リング１１の外径と固体リング１２の内径との寸法差を固定リング１２の内径寸法で除した値を減速比として揺動回転する。パッド１５のこの揺動回転は、パッド下面に一点Ｐを特定した場合、その点Ｐが例えば図３に示したような軌跡を描くように、点Ｐを移動させる。この運動形態はギヤアクションと称されており、現在市販されているこの種ポリッシャーでは、本発明における可撓性リング１１が外歯車で、固体リング１２が内歯車でそれぞれ構成されている。
【００１３】
上記実施例では、可撓性リング１１がベアリングケース９に固定で、固体リング１２が本体２に可動のものとして構成されているが、固体リング１２がベアリングケース９に固定で、可撓性リング１１が本体２に可動的に装着されても良いし、更に、可撓性リングが本体２に固定で、固体リングをベアリングケース９に可動的に嵌装しても良いし、その逆に、固体リング１２が本体に固定で、可撓性リングをベアリングケース９に可動的に嵌装しても良いが、これら何れの態様も本発明に属することは云うまでもない。
【００１４】
【発明の効果】
上述の如く本発明によれば、ギヤアクションを行わせる要素が可撓性リングと固体リングという非常に柔軟性のある組み合わせで構成されているため、製作が容易であるばかりか、高い組立精度も必要とせず、廉価に製造することができるデュアルモードサンダーを提供することが出来る。また、ダブルアクションサンダーとして用いるときも、擬似的なギヤーアクションポリッシャーとして使用するときも、切換え操作が簡単であり、しかも作動音の静かなデュアルモードサンダーを提供することができる。
【図面の簡単な説明】
【図１】本発明にかかるデュアルモードサンダーがダブルアクションモードにセットされた状態の要部縦断面図である。
【図２】本発明にかかるデュアルモードサンダーが擬似的ギヤアクションモードにセットされた状態の要部縦断面図である。
【図３】本発明にかかるデュアルモードサンダーが擬似的ギヤアクションモードにセットされた時のパッドの動きを説明するための図である。
【符号の説明】
１                    モーター
２                    モーター固定ナット
３                    サンダー本体
３ａ                  スロット
４                    モーター出力軸
５                    偏芯軸
６                    バランサー
７                    バランサー取り付けネジ
８                    ベアリング
９                    ベアリングケース
１０                  ベアリングケース止めネジ
１１                  可撓性リング
１２                  固体リング
１３                  操作リング
１４                  連結ネジ
１５                  パッド
【図１】
2005022000.tif 000003
【図２】
2005022000.tif 000004
【図３】
2005022000.tif 000005
【手続補正書】
【提出日】平成15年7月10日(2003.7.10)
【手続補正１】
【補正対象書類名】図面
【補正対象項目名】図３
【補正方法】変更
【補正の内容】
【図３】
2005022000.tif 000006